(57)【要約】【課題】本発明は、様々な身体的条件を備えた使用者にも利用しやすく、カビや汚れが定着しにくい清潔で清掃の容易な洗面器を提供する。【解決手段】洗面器１は、基台２と、ボウル３と、水栓金具９を備えている。ボウル３は、外周縁３ａを基台２の前端面２ａより突出するようにして基台２と一体成形されており、突出した外周縁３ａに、人体の腹部に沿うような窪み部３ｃが形成されている。ボウル３の底部３ｂに設けられた排水孔５は、壁４の内方に埋め込み配置されている排水管と連通しており、ボウル３の下方には開放空間１２が設けられている。また、基台２には、水栓金具９の配置位置より水栓金具９の操作性を阻害しないこと、及び清掃の煩雑さを排除すること等の条件を満足できる所定の離間距離Ｌを設けて備品配置空間１１が配置されるとともに、ボウル３より水はねの影響のない所定の距離を設けて荷台空間１０が設置される。【選択図】  図１
2004305564.tif 000002
【特許請求の範囲】
【請求項１】
少なくとも、一方の側端面もしくは奥行き方向の後端面の何れかが壁に当接するように配置され、鉛直に挿通する開口部を有する水平板状の基台と、
該基台の開口部に外周縁を嵌合され、底部に排水孔を有する凹状のボウルと、
該ボウルに洗浄水を供給する水栓金具を備え、
前記ボウルが、その外周縁をボウルの底部に向かって下方に傾斜する平滑面に成形されるとともに、外周縁の一部を基台の前端面より突出するように開口部に配置された上で基台とともに一体成形されてなり、
前記基台の前端面より突出した前記ボウルの外周縁に、人体の腹部に沿う窪み部が形成されるとともに、前記ボウルの排水孔に連通する排水管が前記壁に収納されて、ボウルの下方には開放空間が形成され、
また、前記基台が、前記ボウルの平面視形状と比較して広い面積を有しており、ボウルの周辺で水栓金具より所定の離間距離を設けた位置に、備品配置空間が設置されるとともに、ボウルより所定の離間距離を設けた位置に、荷台空間が設置され、
さらに、前記水栓金具には、水量及び水温をレバーの上下もしくは回転で調節するシングルレバー混合水栓もしくは自動水栓が用いられることを特徴とする洗面器。
【請求項２】
請求項１に記載の洗面器において、
前記ボウルの排水孔が、基台の後端面側に近接して設けられるとともに、
ボウルの底部が、基台の前端面側から排水孔に向かって直線状に下方傾斜することを特徴とする洗面器。
【請求項３】
請求項１または２に記載の洗面器において、
前記基台の後端面側に近接して配置される前記ボウルの排水孔が、中心よりも左、もしくは右に寄せて設けられることを特徴とする洗面器。
【発明の詳細な説明】
【０００１】
【発明の属する技術分野】
本発明は、上肢や顔等を簡易洗浄するための洗面器に関する。
【０００２】
【従来の技術】
従来より、病院等に設置される洗面器は、病院スタッフだけでなく患者等の利用を考慮する必要があることから、健常者のみでなく様々な身体的条件を備えた使用者にも利用しやすい構造を提供することを目的に、特許文献１に示すように最適な設計指針を提示する等、様々な考案がなされている。
【０００３】
【特許文献１】
特開２００１−３０９８６１号公報
【０００４】
【発明が解決しようとする課題】
しかし、  病院スタッフの手洗いと、患者の手洗い及び洗顔の両者を主な目的として考慮すると、様々な身体的条件を備えた使用者が利便性を満足できる設備を備えつつ、清掃が容易でカビや汚れが付着しにくい構造の感染対策をも視野に入れた洗面器は開発されていなかった。
【０００５】
上記事情に鑑み、本発明は、様々な身体的条件を備えた使用者にも利用しやすく、清潔で清掃の容易な洗面器を提供することを目的としている。
【０００６】
【課題を解決するための手段】
請求項１記載の洗面器は、少なくとも、一方の側端面もしくは奥行き方向の後端面の何れかが壁に当接するように配置され、鉛直に挿通する開口部を有する水平板状の基台と、該基台の開口部に外周縁を嵌合され、底部に排水孔を有する凹状のボウルと、該ボウルに洗浄水を供給する水栓金具を備え、前記ボウルが、その外周縁をボウルの底部に向かって下方に傾斜する平滑面に成形されるとともに、外周縁の一部を基台の前端面より突出するように開口部に配置された上で基台とともに一体成形されてなり、前記基台の前端面より突出した前記ボウルの外周縁に、人体の腹部に沿う窪み部が形成されるとともに、前記ボウルの排水孔に連通する排水管が前記壁に収納されて、ボウルの下方には開放空間が形成され、また、前記基台が、前記ボウルの平面視形状と比較して広い面積を有しており、ボウルの周辺で水栓金具より所定の離間距離を設けた位置に、備品配置空間が設置されるとともに、ボウルより所定の離間距離を設けた位置に、荷台空間が設置され、さらに、前記水栓金具には、水量及び水温をレバーの上下もしくは回転で調節するシングルレバー混合水栓もしくは自動水栓が用いられることを特徴としている。
【０００７】
請求項２記載の洗面器は、前記ボウルの排水孔が、基台の後端面側に近接して設けられるとともに、ボウルの底部が、基台の前端面側から排水孔に向かって直線状に下方傾斜することを特徴としている。
【０００８】
請求項３記載の洗面器は、前記基台の後端面側に近接して配置される前記ボウルの排水孔が、中心よりも左、もしくは右に寄せて設けられることを特徴としている。
【０００９】
【発明の実施の形態】
本発明の洗面器を、図１から図４に示す。図１に示すように、洗面器１は、基台２と、ボウル３と、水栓金具９を備えている。前記基台２は、水濡れや薬品等に触れた場合にも防食性が強く、またカビや汚れが定着しにくい表面の滑らかな剛性の板材より形成されるもので、本実施の形態では人造大理石やポリ合板等を用いている。該基台２は、少なくとも奥行き方向の後端面２ａもしくは何れか一方の側端面２ｄが、建築物の壁面４と当接するように配置されており、本実施の形態では、基台２の後端面２ａが壁面４と当接している。また、該基台２には、中央部近傍に鉛直方向に挿通する開口部２ｃが備えられており、該開口部２ｃには前記ボウル３が嵌合されている。
【００１０】
図２に示すように、該ボウル３は、前記基台２と同様の材料よりなる凹状の容器で、外周縁３ａが前記基台２の開口部２ｃと嵌合することにより、両者は接合している。これら該ボウル３と基台２は、個別に製作した上で両者を嵌合する構成としても良いが、汚れやカビ等が定着しやすい目地を形成させないことを目的に、あらかじめ工場等で一体成形し、基台２の開口部２ｃとボウル３の外周縁３ａとの間には連続面を形成している。このように前記基台２から連続する前記ボウル３の外周縁３ａは、底部３ｂに向かって下方に傾斜する平滑面が形成されており、外周縁３ａや基台２の開口部２ｃ近傍に付着した水滴等は、ボウル３の内方へ流下する構成となっている。
また、該ボウル３と隣接する前記基台２の上面には、前記ボウル３内に洗浄用水を供給する前記水栓金具９が設置されている。
【００１１】
該水栓金具９には、洗浄用水の水量や水温をレバーの上下もしくは回転で容易に調節できるシングルレバー混合水栓もしくは自動水栓を採用している。これは、例えば手指の不自由な利用者及び手指が汚れた利用者にも、指を使わずに肘や手首等で容易に水栓金具９を操作できる構成を提供するものである。このような水栓金具９は、洗浄用水を供給する給水管６及び給湯管７に連結しており、図３に示すように、前記給水管６及び給湯管７が、あらかじめ洗面器１を当接して配置した前記壁４の内方に埋め込み配置されている。したがって、該水栓金具９も、前記ボウル３近傍の基台２の上面で、後端面２ａもしくは側端面２ｃの近傍等、前記壁４と当接している端面の近傍に配置されている。
なお、該水栓金具９は、必ずしも基台２の上面に配置する必要はなく、前記ボウル３の内方へ給水できる構成であれば、例えば給水管６及び給湯管７が埋設されている壁４に設置する等、何れの構成を用いても良い。
【００１２】
ところで、図３に示すように、ボウル３の底部３ｂには、排水孔５が設置されている。該排水孔５は、ボウル３の下方に配置された排水管８と連通しており、該排水管８も、前記給水管６及び給湯管７と同様で洗面器１を当接して配置した前記壁４の内方に埋め込み配置されている。このため、前記排水孔５も、前記ボウル３の底部３ｂで、かつ前記壁４と当接している基台２の後端面２ａもしくは側端面２ｄの近傍等、前記壁４と当接している端面の近傍に配置されている。このように、前記排水管８が壁４の内方に埋め込み配置されることにより、基台２の下方には、開放空間１２が形成されることとなる。
なお、該排水孔５は、基台２の側端面２ｄの近傍に配置した場合にも、基台２の後端面２ａに近接して配置し、前記ボウル３の底部３ｂを、前記基台２の前端面２ｂ側から排水孔５に向かって、下方に直線的に傾斜する構成としている。これは、前記基台２の前端面２ｂ側に位置する利用者が、前記ボウル３の底部３ｂに肘を伸ばした状態で腕を載置し、手先から肘近傍までを洗浄できる構成とすることを目的とするものである。
【００１３】
また、図１に示すように、該ボウル３は、前記基台２の前端面２ｂより外周縁３ａの一部を突出するように配置されており、突出した外周縁３ａは、人体の腹部に沿うような窪み部３ｃを有する形状に成形されている。これは、利用者ができる限り前記ボウル３に上体を突き出して顔を洗浄でき、洗浄の際に水滴が床面に流下することを防ぐものである。
このとき、前記ボウル３が基台２の前端面２ｂより突出しているため、窪み部３ｃの両側近傍には、基台２の前端面２ｂとボウル３の外周縁３ａに囲まれた開放空間１２が形成されることとなる。これにより、前記ボウル３と上肢との高さ位置に十分な余裕がない、例えば車いす使用者や子供等が、上体をボウル３に突き出すようにして洗面器１を利用した場合にも、前記基台２に肘が抵触することがない。
【００１４】
さらに、本実施の形態では、前記ボウル３に貯水用の排水栓及びオーバーフローが設置されていない。これは、使用目的が患者の上肢や顔等の日常的な洗浄と、病院スタッフの手洗いであり、院内感染源となる菌を手指に付着している人が利用する可能性があるため、ボウル３に洗浄用水を貯水しないことに起因するものであり、これに従い排水孔５には開閉栓が設けられていない。なお、該排水孔５には、入れ歯やコンタクトレンズ等をボウル３内に落下させた際にも排水管８に流下させないことを目的に図示しない目皿が設置されている。
【００１５】
一方、前記基台２は、ボウル３の平面視形状と比較して十分広い面積を確保されており、基台２の上面にはボウル３の側方で、水はね等の影響が少ない所定の距離を設けた位置に、洗面器１の使用者が荷物等を仮置きする荷台空間１０を設けている。また、前記ボウル３の周囲で水栓金具９の近傍には、洗浄液剤１３や消毒薬剤１４等、上肢や顔等の洗浄に必要な備品を装備するための備品配置空間１１が設けられている。なお、該備品配置空間１１と前記水栓金具９との間には、水栓金具９の操作性を阻害しないこと、及び清掃の煩雑さを排除すること等の条件を満足できる所定の距離Ｌを設ける構成としている。
【００１６】
なお、本実施の形態における洗面器１は、車いす使用者にも無理のない体勢で水栓金具９や荷台空間１０、備品配置空間１１等を使用できること考慮し、基台２の奥行きを決定している。このとき、基台２の下方は、開放空間１２が設けられているため、利用者の横方向の移動は自在であることから、車いすが使用できる最低寸法７５０ｍｍを確保していれば、それ以上の基台２の幅方向への寸法制限は不要である。また、該基台２を支持する基台支持体１５が、図３に示すように鉛直軸に対して斜方に配置されているので、車いす使用者のアクセスが容易な構成となっている。
【００１７】
上述する構成によれば、洗面器１は、前記ボウル３の外周縁３ａの一部形状が、人体の腹部に沿う窪み部３ｃを有しており、該窪み部３ｃが、前記基台２の前端面２ｂより突出して位置するように配置されることから、使用者は、前記ボウル３の窪み部３ｃに腹部を当てるようにしてボウル３に近接できるため、顔や上肢の洗浄が容易に行えるとともに、ボウル３から下方への水垂れ等を防止することが可能となり、洗面器１の周囲を汚染しにくい環境を提供することが可能となる。
【００１８】
また、前記ボウル３の排水孔５が中央よりも左もしくは右に寄り、かつ後端面２ａ近傍に配置され、また、排水孔５に連通する排水管８が、前記壁４に収納されることから、前記洗面器１の下方には、開放空間１２が形成されるため、例えば車いす使用者が利用する場合にも、図４に示すように、該開放空間１２に車いす及び下肢部を納めることにより、容易に前記ボウル３の窪み部３ｃに腹部を当てて上半身部をボウル３に突き出すことができるため、様々な身体条件を有する利用者にも顔や上肢の洗浄が容易に行うことが可能となる。
【００１９】
さらに、前記ボウル３が、基台２の前端面２ｂより突出していることから、該窪み部３ｃの両側部近傍には、基台２の前端面２ｂとボウル３の外周縁３ａに囲まれた開放空間１２が形成されるため、車いす使用者や子供など、前記ボウル３と使用者の上肢との高さ位置に余裕がない場合にも、前記基台２に肘を抵触することなく上肢や顔の洗浄を行うことができ、利便性を向上することが可能となる。
【００２０】
該基台２の開口部２ｃと前記ボウル３の外周縁部３ａの嵌合部が、一体的に連続しており、かつボウル３の外周縁部３ａが底部３ｂに向かって下方に傾斜する平滑面に成形されることから、基台２のボウル３近傍やボウル３の外周縁部３ａに水跳ねした洗浄用水や、液垂れした前記消毒薬剤及び洗浄用剤はボウル３内に流れ込むため、基台２を常に清潔に維持することが可能となる。
【００２１】
また、前記ボウル３には、オーバーフローが設置されないことから、基台２とボウル３を一体成形する構成とすれば、基台２及びボウル３は凹凸や継ぎ目等のない滑らかな表面形状を有しているため、カビや汚れが生じにくく清掃も容易に行うことが可能となる。
【００２２】
前記基台２には、水栓金具９の配置位置より所定の離間距離Ｌを設けて備品配置空間１１が配置されることから、洗浄液剤及び消毒液剤等を配置しても、水栓金具の操作性を阻害することなく、また清掃の煩雑さを回避することが可能となる。また、前記基台２が、前記ボウル３の平面視形状と比較して広い面積を有しており、所定の距離を設けて荷台空間１０が設置されることから、利用者の荷物に水はねの影響が生じることは少ないため、利用者の使い勝手をより向上することが可能となる。
【００２３】
前記水栓金具９には、洗浄用水の水量及び水温をレバーの上下もしくは回転で調節できるシングルレバー混合水栓が用いられることから、例えば子供や手の不自由な利用者でも、指を使わずに容易に利用でき、利用者の使い勝手をより向上することが可能となる。
【００２４】
前記ボウル３の排水孔５が、前記基台２の後端面側の近傍に設けられるとともに、ボウル３の底部３ｂが、前記基台２の前端面側から排水孔５に向かって直線状に下方傾斜することから、利用者は、前記ボウル３の前端部側から排水孔５側に向けて、底部３ｂに肘をのばした状態で上肢をを無理なく載置することができるため、手首から肘に至る部位の洗浄を容易に行うことが可能となるとともに、洗浄中における床下への水垂れを防止することができ、洗面器１の周囲の汚染を抑制することが可能となる。
【００２５】
【発明の効果】
請求項１記載の洗面器によれば、少なくとも、一方の側端面もしくは奥行き方向の後端面の何れかが壁に当接するように配置され、鉛直に挿通する開口部を有する水平板状の基台と、該基台の開口部に外周縁を嵌合され、底部に排水孔を有する凹状のボウルと、該ボウルに洗浄水を供給する水栓金具を備え、前記ボウルが、その外周縁をボウルの底部に向かって下方に傾斜する平滑面に成形されるとともに、外周縁の一部を基台の前端面より突出するように開口部に配置された上で基台とともに一体成形されてなり、前記基台の前端面より突出した前記ボウルの外周縁に、人体の腹部に沿う窪み部が形成されるとともに、前記ボウルの排水孔に連通する排水管が前記壁に収納されて、ボウルの下方には開放空間が形成され、また、前記基台が、前記ボウルの平面視形状と比較して広い面積を有しており、ボウルの周辺で水栓金具より所定の離間距離を設けた位置に、備品配置空間が設置されるとともに、ボウルより所定の離間距離を設けた位置に、荷台空間が設置され、さらに、前記水栓金具には、水量及び水温をレバーの上下もしくは回転で調節するシングルレバー混合水栓もしくは自動水栓が用いられることから、使用者は、前記ボウルの窪み部に腹部を当てるようにしてボウルに近接できるため、顔や上肢の洗浄が容易に行えるとともに、ボウルから下方への水垂れ等を防止することが可能となり、洗面器の周囲を汚染しいくい環境を提供することが可能となる。
【００２６】
また、前記洗面器の下方には、開放空間が形成されるため、例えば車いす使用者が利用する場合にも、該開放空間に車いす及び下肢部を納めることにより、容易に前記ボウルの窪み部に腹部を当てて上半身部をボウルに突き出すことができるため、様々な身体条件を有する利用者にも顔や上肢の洗浄が容易に行うことが可能となる。
【００２７】
さらに、基台の前端面よりボウルの外周縁の一部を突出させることにより、突出したボウルの両側部近傍には、基台の前端面とボウルの外周縁に囲まれた開放空間が形成されるため、車いす使用者や子供など、前記ボウルと使用者の上肢との高さ位置に余裕がない場合にも、前記基台に肘を抵触することなく上肢や顔の洗浄を行うことができ、利便性を向上することが可能となる。
【００２８】
基台のボウル近傍やボウルの外周縁に水跳ねした洗浄用水や、液垂れした前記消毒薬剤及び洗浄用剤は、底部に向かって下方に傾斜するボウルの外周縁よりボウル内に流れ込むため、基台を常に清潔に維持することが可能となる。
【００２９】
前記基台には、水栓金具の配置位置より所定の離間距離を設けて備品配置空間が配置されることから、備品配置空間に消毒薬剤及び洗浄用剤等を配置しても、水栓金具の操作性を阻害することなく、また清掃の煩雑さを回避することが可能となる。また、前記基台に所定の距離を設けて荷台空間が設置されることから、利用者の荷物に水はねの影響が生じることが少なく、利用者の使い勝手をより向上することが可能となる。
【００３０】
上述するように、洗面器は、日常的な手洗いや洗顔等を目的として、様々な身体的条件を備えた使用者が利便性を満足できる設備を一体的に備えたことから、これらを汎用化することにより、安価に利便性の良い洗面器を提供することが可能となる。
【００３１】
請求項２記載の洗面器によれば、前記ボウルの排水孔が、基台の後端面側に近接して設けられるとともに、ボウルの底部が、基台の前端面側から排水孔に向かって直線状に下方傾斜することから、利用者は、前記ボウルの前端部から排水口側に向けて、底部に肘をのばした状態で上肢をを無理なく載置することができるため、手首から肘に至る部位の洗浄を容易に行うことが可能となるとともに、洗浄中における床下への水垂れを防止することができ、洗面器の周囲の汚染を抑制することが可能となる。
【００３２】
請求項３記載の洗面器によれば、前記基台の後端面側に近接して配置される前記ボウルの排水孔が、中心よりも左、もしくは右に寄せて設けられることから、前記洗面器１の下方に形成される開放空間１２を、より広く確保することができるため、様々な身体条件を有する利用者の利便性をさらに向上することが可能となる。
【図面の簡単な説明】
【図１】本発明に係る洗面器の平面を示す図である。
【図２】本発明に係る洗面器の正面を示す図である。
【図３】本発明に係る洗面器の側面を示す図である。
【図４】本発明に係る洗面器の利用状況を示す図である。
【符号の説明】
１  洗面器
２  基台
２ａ  後端面
２ｂ  前端面
２ｃ  開口部
２ｄ  側端面
３  ボウル
３ａ  外縁部
３ｂ  底部
３ｃ  窪み部
４  壁面
５  排水孔
６  給水管
７  給湯管
８  排水管
９  水栓金具
１０  荷台空間
１１  備品配置空間
１２  開放空間
１３  洗浄液剤
１４  消毒液剤
１５  基台支持体
【図１】
2004305564.tif 000003
【図２】
2004305564.tif 000004
【図３】
2004305564.tif 000005
【図４】
2004305564.tif 000006